(57)【特許請求の範囲】
【請求項１】
導光体と、この導光体の一方の側面に近接配置される２つ以上の複数の光源と、前記一方の側面部に前記複数光源の各々に相対向した位置に設けられ前記複数光源の発光を前記導光体に入射させる入射光調整部と、前記導光体の下面側に配置され前記導光体を透過した光を前記導光体に光反射させる光反射板と、前記導光体の上面側に配置され前記導光体の上面から放出される光の出射方向を制御する光制御部材とを備えてなる照明装置において、前記入射光調整部は、前記導光体の側面部に、前期複数の光源と同じ数の、前記複数の光源各々の大きさに応じた開口部を持ち、かつ、前記導光体の厚み方向の長さより短い高さで、かつ、深さ方向が前記導光体の他方の側面に向かう方向であるように設けられる凹部と、この凹部に連接した底面部からなる照明装置
【請求項２】
前記凹部は、前記複数光源の各々に相対向する前期導光体の側面部の開口部の形状が矩形であり、かつ、前記導光体の厚み方向に対して垂直で、他方の側面側に向かって設けられる形状であって、前記導光体の上面、または、下面から見た形状が円弧形状で、かつ前記凹部に連接される底面も同じ形状、同じ面積の円弧形状である、請求項１記載の照明装置。
【請求項３】
前記凹部は、前記複数光源の各々に相対向する前期導光体の側面部の開口部の形状が矩形であり、かつ、前記導光体の厚み方向に対して垂直で、他方の側面側に向かって設けられる形状であって、前記導光体の上面、または、下面から見た形状が、側端面側を長辺とする略台形形状で、かつ前記凹部に連接される底面も同じ形状、同じ面積の略台形形状である、請求項１記載の照明装置。
【請求項４】
前記凹部は、前記複数光源に相対向する前期導光体の側面部の開口部の形状が矩形であり、かつ、前記導光体の厚み方向に対して垂直で、他方の側面側に向かって設けられる形状であって、前記導光体の上面、または、下面から見た形状が側端面側を底辺とする略三角形状であり、かつ前記凹部に連接される底面も同じ形状、同じ面積の略三角形状である、請求項１記載の照明装置。
【請求項５】
入射光調整部は、導光体の上面側に設けられてなる請求項１記載の照明装置。
【請求項６】
入射光調整部は、導光体の下面側に設けられてなる請求項１記載の照明装置。
【請求項７】
請求項１〜請求項６記載の照明装置の光制御部材の上面に液晶表示素子を配してなる液晶表示装置。
【請求項８】
請求項７記載の液晶表示装置を組込んでなる機器。
【発明の詳細な説明】
【０００１】
【発明の属する技術分野】
本発明は、携帯電話、携帯情報端末であるポケットＰＣ等の機器の液晶表示装置に使用される照明装置、その照明装置を使用した液晶表示装置及びこれを組込んでなる機器に関する。
【０００２】
【従来の技術】
液晶表示装置はワープロ、パソコン等の大型機器から最近の各種情報機器の開発による携帯電話、携帯情報端末等の小型機器にまで幅広く使用されている。図５はその液晶表示装置の概略断面図、図６はその液晶表示装置における光源と導光体の配置関係を示した斜視図であり、図において８、９は小型の白熱電球やＬＥＤ等の光源、１７は透光性の樹脂材料で作られた直方体形状の導光体、１８は導光体の下面側に配置される光反射板、１９は導光体１７の上面に配置され導光体から放出される光の方向を制御する光制御部材、２０は光源８、９その他の回路部品を取り付けてなる回路基板である。導光体１７自身の下面には導光体の入射された光をできるだけ導光体全体に均一の輝度で光放出させるために公知のドットパターン印刷や突起が面全体に施されている。また光制御部材１９は光拡散板だけでもよいし、光拡散板とプリズムシートを重ね合わせ配置してもよい。なお装置は実際の機器への組込みに際しては、光源の光を導光体に有効的に光入射させるために光源を取り囲むように光反射傘又は光反射体が光源の周囲に設けられる。
【０００３】
以上の構成よりなる装置は、光源８、９を発光させると、その光は導光体１７の一方の側面より光入射され導光体中を他方側面に向って導光されてゆき、また導光体下面より通過した光が再度導光体に光入射されたりしながら導光体１７の上面より光放出され、その放出光は光制御部材によって光の方向が制御されて光制御部材１９の上面より光放出される。この光は、図示しない液晶表示素子を背面より照明し液晶表示素子の画像を認識するために使用される。
【０００４】
【発明が解決しようとする課題】
上記従来の照明装置では、光源８、９は導光体の側面に近接して配置されており、導光体は導光体の下面のパターンや突起によって上面よりできるだけ均一の光を放出されるようになされているものの、光源８、９を点灯させると、光源８、９が配置されている導光体の近接部には、図７に示すような極めて濃い陰影１０，１１，１２が発生し、この陰影１０、１１、１２は液晶表示素子の再生の画像、情報に悪影響を及ぼすことになる。この問題を改善するために、図８に示すように光源８、９が配置される導光体２１の側面に窪み２２、２３の入射光調整部を設けたものが提案されている。この入射光調整部２２、２３を設けることによって、図９に示すように前述した陰影１０、１１、１２は依然として発生するものの、その大きさは小さくかつその濃度も薄くなり陰影については実使用上問題のない程度に改善される。しかしながら、導光体２１の上面の大部分の面積を占めている光放出面Ｒの部分の輝度が低下するという問題を有している。当然、この液晶表示装置を組み入れた携帯電話や情報端末のポケットＰＣ等の機器の使用者にとっては、明るい画像や情報を視認し難いという問題に波及することにもなる。
【０００５】
したがって、本発明はかかる問題点を改善するためになしたもので、光源が配置される導光体の近接部分の発生の陰影を濃度を薄く且つその大きさを極力小さくして実使用上問題無いようにするとともに、導光体の上面から放出される光の輝度を低下させない照明装置、かかる照明装置を使用し鮮明な画像を再生する液晶表示装置及びこの液晶表示装置を組入れた携帯電話やポケットＰＣ等の機器を提供することを目的とする。
【０００６】
【課題を解決するための手段】
本発明の請求項１記載の照明装置は、導光体の一方の側面に設けられる入射光調整部を、その導光体側面に近接配置される２つ以上の複数の光源の各々に対して相対向する側面部の開口部の形状が矩形であり、その高さが導光体の厚み方向の長さよりも短い長さ寸法であって、かつ、前記導光体の厚み方向に垂直で、他方の側面側に向かって設けられる、複数の光源の数と同じ数の凹部と、この凹部に連接した底面部より形成してなるもので、導光体の一方の側面近傍の放出光の陰影を小面積で濃度も薄くし、且つ導光体の主光放出面上での輝度を低下させることなく、導光体の上面から光を放出することが出来る。
【０００７】
本発明の請求項２〜４に記載の照明装置は、入射光調整部の凹部の形状を、導光体の上面、または下面から見た形状が円弧、台形や三角形状で、かつ凹部に連接した底面が同じ形状かつ同じ面積の円弧、台形や三角形状にしてなるもので、このように凹部の形状を変えても上記と同様の効果を得ることができる。
【０００８】
本発明の請求項５に記載の照明装置は、入射光調整部を導光体の上面側に設けたものであり、導光体の一方の側面近傍の放出光の陰影を小面積で濃度を薄く、導光体の主放出面の輝度の低下を防止できる。
【０００９】
本発明の請求項６に記載の照明装置は、入射光調整部を導光体の下面側に設けてなるもので、導光体の上面からの放出光を良好なものにすることが出来る。
【００１０】
本発明の請求項７に記載の液晶表示装置は、上述の請求項１〜６の照明装置を使用することによって、液晶表示素子による再生画像を良好な状態で視認することが出来る。
【００１１】
本発明の請求項８に記載の機器は、請求項７に記載の液晶表示装置を使用することによって、使用者にとってより再生画像、情報の視認性の良好な機器を提供することが出来る。
【００１２】
【発明の実施の形態】
以下、本発明の実施形態を図面とともに説明する。図１は本発明の照明装置の導光体と、この導光体に近接配置される複数の光源とを示した斜視図、図２はその相対配置関係を示した平面図であり、１は導光体、２、３は導光体１に設けられる入射光調整部であり、入射光調整部２、３は、光源に相対向する側面の形状が矩形であり、導光体１の厚みＬより小さい高さＨで、かつ、導光体の厚み方向に垂直で、他方の側面側に向かって設けられる凹部で、前記導光板の上面、または下面から見た形状が円弧形状である４、６、これと連接した同じ円弧形状で、かつ、同じ面積である底面部５、７の形状よりなる。また、凹部４、６の横幅Ｅは、光源の幅Ｄと同等以上の大きさが必要であり、この凹部４、６の横幅Ｅと高さＨは、導光体１の上面からの放出光を評価しながら決定すれば良い。
【００１３】
本発明の照明装置の特徴はこの光源８、９に相対した入射光調整部２、３の形状にあり、導光体１の厚み全体にわたって入射光調整部を設けるのではなく、導光体１の厚みに対して部分的に設けているのである。なお、本実施形態の照明装置は、他の光反射板、光制御部材等の構成、配置については説明を省略したが、図５に示した従来例と同様の構成、配置である。
【００１４】
導光体を以上の構成にすることによって、光源８、９からの発光は導光体１の側面より光入射されるが、具体的には、光源８、９の光は主に光入射調整部２、３及びその下方に位置し光源と相対位置にある導光体の側面部より導光体１に光入射され、導光体１の内部を導光されその上面より光が放出されることになる。その導光体１の上面からの放出光の状態を見ると、図２に示すように、光源８、９が配置されている導光体の側面近傍には陰影１０、１１、１２が発生している。しかし、この陰影１０、１１、１２は、非常に小さい面積で且つ濃度も極めて薄いものであり、実使用上全く問題のない程度にまで軽減されている。また、導光体１の上面の主放出光面Ｒの輝度は従来のように低下することなく正常な輝度が得られた。
【００１５】
図３は、導光体に設けられる入射光調整部１３、１４の他の実施例を示し、前実施例が導光体の上面、または下面からみた形状が円弧で、かつ、その底面も同じ形状、同じ面積の円弧であったのに対し、当実施例は入射光調整部１３、１４の導光体の上面、または下面からみた形状を略台形形状で、かつ、その底面も同じ形状、同じ面積の略台形形状にしたものである。図４は、同じく入射光調整部１５、１６の導光体の上面、または下面からみた形状を三角形状で、かつ、その底面も同じ形状、同じ面積の三角形状にしたものである。この両実施例のように、入射光調整部の導光体の上面、または下面からみた形状および連接する底面の形状を台形や三角形状にしても前実施例と同様な効果が得られる。
【００１６】
以上述べた実施形態では、入射光調整部を導光体の上面側から下面側に向って設けたが、導光体の下面側から上面側に向って設けても同様の効果が得られる。
【００１７】
【発明の効果】
以上述べたように本発明の照明装置は、光源が近接配置される導光体の一方の側面の光源対向部分における導光体の上面側から下面側に向って又は下面側から上面側に向って、且つ導光体の他方側面に向って入り込んだ入射光調整部を設けたものであり、導光板の一方の側面部近傍の陰影を薄く且つ小面積のものに出来るとともに、導光体の上面の主光放出面の輝度を低下させることの無いものにすることが出来る。
【００１８】
また、この照明装置を使用することによって再生画像が鮮明な液晶表示装置を提供でき、さらにこの液晶表示装置を組込んだ携帯電話や情報端末等の機器の再生画像や情報の視認性を良好なものにすることが出来る。
【図面の簡単な説明】
【図１】本発明の第１の実施形態である照明装置における導光体と光源の斜視図
【図２】図１にかかる導光体と光源の相対配置を示す平面図
【図３】本発明の第２の実施形態である照明装置における導光体と光源の相対配置を示す平面図
【図４】本発明の第３の実施形態である照明装置における導光体と光源の相対配置を示す平面図
【図５】従来の照明装置の概略断面図
【図６】図５にかかる照明装置の導光体と光源の配置を示す斜視図
【図７】図６にかかる導光体の上面の放出光の状態を示した平面図
【図８】従来の導光体の別形態を示す斜視図
【図９】図８にかかる導光体と光源の相対配置を示した平面図
【符号の説明】
１  導光体
２、３  入射光調整部
４、６  窪み部
５、７  底面部
８、９  光源
１３、１４、１５、１６  入射光調整部
１８  光反射板
１９  光制御部材
２０  回路基板
【図１】
0004531273.tif 000002
【図２】
0004531273.tif 000003
【図３】
0004531273.tif 000004
【図４】
0004531273.tif 000005
【図５】
0004531273.tif 000006
【図６】
0004531273.tif 000007
【図７】
0004531273.tif 000008
【図８】
0004531273.tif 000009
【図９】
0004531273.tif 000010